(57)【要約】【課題】  広帯域を実現しながらもインピーダンスの調整を容易に行う。【解決手段】  樹脂シート１０２の中心部からずれた領域にて空隙を介して互いに対向する給電点１２０ａ，１２０ｂをそれぞれ具備する２つの導体１１０ａ，１１０ｂが形成されてなるアンテナ部材であって、２つの導体１１０ａ，１１０ｂのうち、空隙を介して樹脂シート１０２の中心部側となる導体１１０ａの一部に、導体１１０ｂの隣接辺に対する角度が互いに異なるように並列に接続された複数の調整パターン１１３ａ〜１１３ｃからなるインピーダンス調整部１１３を設ける。【選択図】図１
2006333194.tif 000002
【特許請求の範囲】
【請求項１】
ベース基材の所定の領域にて空隙を介して互いに対向する給電点をそれぞれ具備する２つの導体が形成されてなるアンテナ部材であって、
前記２つの導体のうち少なくとも一方は、前記給電点に接続されたインピーダンス調整部と、前記インピーダンス調整部を介して前記給電点と接続され、前記インピーダンス調整部から離れる方向に放射状に広がるボウタイアンテナ部とから構成され、
前記インピーダンス調整部は、前記給電点と前記ボウタイアンテナ部との間にて、他方の導体の隣接辺に対する角度が互いに異なるように並列に接続された複数の導電パターンから構成されたアンテナ部材。
【請求項２】
請求項１に記載のアンテナ部材におけるインピーダンス調整方法であって、
前記インピーダンス調整部の他方の導体の隣接辺に対する角度を変えることによって前記アンテナ部材におけるインピーダンスを調整するインピーダンス調整方法。
【発明の詳細な説明】
【技術分野】
【０００１】
本発明は、非接触型情報記録媒体に用いられるアンテナ部材及びそのインピーダンス調整方法に関する。
【背景技術】
【０００２】
昨今、情報化社会の進展に伴って、情報をカードに記録し、該カードを用いた情報管理や決済等が行われている。また、商品等に貼付されるラベルやタグに情報を記録し、このラベルやタグを用いての商品等の管理も行われている。
【０００３】
このようなカードやラベル、あるいはタグを用いた情報管理においては、カードやラベル、あるいはタグに対して非接触状態にて情報の書き込み及び読み出しを行うことが可能なＩＣが搭載された非接触型ＩＣカードや非接触型ＩＣラベル、あるいは非接触型ＩＣタグがその優れた利便性から急速な普及が進みつつある。
【０００４】
非接触状態にて情報の書き込み及び読み出しが可能な非接触型ＩＣカードや非接触型ＩＣラベル、非接触型ＩＣタグにおいては、近年、小型化及び通信可能距離を確保するために、９００ＭＨｚ〜１０００ＭＨｚの周波数帯を利用して通信を行う微細なＩＣチップが用いられ始めている。
【０００５】
このような微細なＩＣチップを用いた場合、ＩＣチップに導電性のアンテナを接続することにより、ＩＣチップの通信可能距離を延ばすことができる。
【０００６】
図６は、９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【０００７】
本構成例は図６に示すように、樹脂や紙等からなるベース基材４０２上に、互いに直列に並ぶように所定の間隔を有して形成された２つの帯状の導体４１０ａ，４１０ｂからなるアンテナ部４１０が形成されており、この２つの導体４１０ａ，４１０ｂに接続されるように、非接触状態にて情報の書き込み及び読み出しが可能なＩＣチップ４０１が搭載されて構成されている。
【０００８】
上記のように構成された非接触型ＩＣタグ４００においては、外部に設けられた情報書込／読出装置（不図示）に近接させることにより、情報書込／読出装置からの電波によりアンテナ部４１０に電流が流れ、この電流がＩＣチップ４０１に供給され、それにより、非接触状態において、情報書込／読出装置からＩＣチップ４０１に情報が書き込まれたり、ＩＣチップ４０１に書き込まれた情報が情報書込／読出装置にて読み出されたりする。このような非接触型ＩＣタグ４００においては、ＩＣチップ４０１に対しての情報の書き込み及び読み出しが可能な距離を確保するためにＩＣチップ４０１とアンテナ部４１０とのインピーダンス整合をとる必要がある。
【０００９】
そこで、アンテナ部にライン状のインピーダンス調整用パターンを接続し、このインピーダンス調整用パターンを途中で切断してその長さを変えることによりアンテナ部全体の長さを変え、それにより、ＩＣチップとアンテナ部とのインピーダンス整合をとる技術が考えられている（例えば、特許文献１参照。）。
【００１０】
また、従来より、三角形からなる２つの導体が、その頂点が空隙を介して互いに対向するように配置されてなるボウタイアンテナが利用されている。
【００１１】
図７は、一般的なボウタイアンテナを有する非接触型ＩＣタグの一例を示す図であり、（ａ）は上面図、（ｂ）は（ａ）に示したＡ−Ａ’断面図である。
【００１２】
本例は図７に示すように、樹脂や紙等からなるベース基材５０２上に、二等辺三角形の形状を有する２つの導体５１０ａ，５１０ｂが、二等辺三角形の等しい辺がなす頂点どうしを結んだ直線が二等辺三角形の底辺のそれぞれに対して垂直となるように、かつ、頂点どうしが空隙を有するように配置されてなるアンテナ部５１０が形成されており、この２つの導体５１０ａ，５１０ｂに接続されるように、非接触状態にて情報の書き込み及び読み出しが可能なＩＣチップ５０１が搭載されて構成されている。
【００１３】
上記のように構成された非接触型ＩＣタグ５００においては、アンテナ部５１０について、Ｂ−Ｂ’間とＣ−Ｃ’間とで長さが互いに異なり、かつ、その長さがＢ−Ｂ’間からＣ−Ｃ’間に渡って無段階に変化しているため、アンテナ部５１０のインピーダンスが、Ｂ−Ｂ’間の長さに基づくインピーダンスからＣ−Ｃ’間の長さに基づくインピーダンスまで設定可能となる。このように、ボウタイアンテナを用いて広帯域なアンテナを実現する技術が考えられている（例えば、特許文献２参照。）。
【特許文献１】特開２００４−１０４３４４号公報
【特許文献２】特開２００２−１３５０３７号公報
【発明の開示】
【発明が解決しようとする課題】
【００１４】
しかしながら、上述した技術を用いて広帯域なアンテナを実現しながらインピーダンス整合をとろうとした場合、ボウタイアンテナに上述したようなインピーダンス調整用パターンを接続し、このインピーダンス調整用パターンを途中で切断してその長さを変えることによりアンテナ部全体の長さを変えることになるが、ボウタイアンテナにその長さを変えることによりアンテナ全体の長さを変えることができるようなインピーダンス調整用パターンを接続する場合、ボウタイアンテナの給電点とは反対側の端部の一部にインピーダンス調整用パターン接続することになるため、所望のインピーダンス及び広帯域特性を必ずしも得られるとは限らないという問題点がある。
【００１５】
本発明は、上述したような従来の技術が有する問題点に鑑みてなされたものであって、広帯域を実現しながらもインピーダンスの調整を容易に行うことができるアンテナ部材及びそのインピーダンス調整方法を提供することを目的とする。
【課題を解決するための手段】
【００１６】
上記目的を達成するために本発明は、
ベース基材の所定の領域にて空隙を介して互いに対向する給電点をそれぞれ具備する２つの導体が形成されてなるアンテナ部材であって、
前記２つの導体のうち少なくとも一方は、前記給電点に接続されたインピーダンス調整部と、前記インピーダンス調整部を介して前記給電点と接続され、前記インピーダンス調整部から離れる方向に放射状に広がるボウタイアンテナ部とから構成され、
前記インピーダンス調整部は、前記給電点と前記ボウタイアンテナ部との間にて、他方の導体の隣接辺に対する角度が互いに異なるように並列に接続された複数の導電パターンから構成されている。
【００１７】
上記のように構成された本発明においては、給電点とボウタイアンテナ部との間に並列に接続された複数の導電パターンのうち１つの導電パターン以外が全て切断されると、切断されていない導電パターンに流れる電流と給電点を介してその導電パターンと対向する導体に流れる電流とが相互に影響を及ぼし合ってそれぞれに流れる電流が変化してアンテナ部材のインピーダンスが変化するが、複数の導電パターンが、他方の導体の隣接辺に対する角度が互いに異なるように並列に接続されているので、切断されない導電パターンに応じて相互に及ぼし合う影響によって変化する電流の大きさが異なり、アンテナ部材のインピーダンスが異なる。
【００１８】
そのため、アンテナ部材のインピーダンスが所望のインピーダンスとなるような導電パターン以外の全ての導電パターンを切断することにより、広帯域を実現しながらもインピーダンスを調整することが可能となる。
【００１９】
また、前記２つの導体のうち一方が、接地された導電領域である構成とすることも考えられる。
【００２０】
このような構成とした場合は、モノポールアンテナが構成されることになり、２つの導体をそれらの給電点がベース基材の中心部からずれた領域にて空隙を介して互いに対向するように形成し、空隙を介してベース基材の中心部とは反対側となる導体を接地された導電領域とすれば、ボウタイアンテナ部の長さを長くとることができ、アンテナ部材のインピーダンスを大きくすることができる。
【００２１】
また、前記インピーダンス調整部と前記ボウタイアンテナ部との間にメアンダアンテナ部が接続された構成とすることも考えられる。
【００２２】
このような構成とした場合は、メアンダアンテナ部によって導体の長さが長くなり、省スペースでアンテナ部材のインピーダンスを大きくすることができる。
【００２３】
また、前記アンテナ部材を用いた非接触型情報記録媒体であって、
前記ベース基材上に、前記２つの導体それぞれの給電点に接続され、前記２つの導体を介して非接触状態にて情報の書き込み及び読み出しが可能なＩＣチップが搭載されている構成とすることも考えられる。
【００２４】
また、前記アンテナ部材におけるインピーダンス調整方法であって、
前記インピーダンス調整部の他方の導体の隣接辺に対する角度を変えることによって前記アンテナ部材におけるインピーダンスを調整する。
【発明の効果】
【００２５】
以上説明したように本発明においては、ベース基材の所定の領域にて空隙を介して互いに対向する給電点をそれぞれ具備する２つの導体が形成され、この２つの導体のうち少なくとも一方が、給電点に接続されたインピーダンス調整部と、インピーダンス調整部を介して給電点と接続され、インピーダンス調整部から離れる方向に放射状に広がるボウタイアンテナ部とから構成され、インピーダンス調整部が、給電点とボウタイアンテナ部との間にて、他方の導体の隣接辺に対して角度が互いに異なるように並列に接続された複数の導電パターンから構成されているため、広帯域を実現しながらもインピーダンスの調整を容易に行うことができる。
【発明を実施するための最良の形態】
【００２６】
以下に、本発明の実施の形態について図面を参照して説明する。
【００２７】
図１は、本発明のアンテナ部材の実施の一形態を示す図である。
【００２８】
本形態は図１に示すように、ベース基材となる樹脂シート１０２上に、銅等の導電性材料によって２つの導体１１０ａ，１１０ｂからなるアンテナ部１１０が形成されて構成されており、この２つの導体１１０ａ，１１０ｂは、樹脂シート１０２の中心部からずれた領域、具体的には、樹脂シート１０２の図中下辺と左辺とからそれぞれ２０ｍｍ程度の領域にて空隙を介して互いに対向する給電点１２０ａ，１２０ｂをそれぞれ有している。
【００２９】
また、２つの導体１１０ａ，１１０ｂのうち、空隙を介して樹脂シート１０２の中心部側となる導体１１０ａは、給電点１２０ａから離れる方向、すなわち樹脂シート１０２の中心部側に放射状に広がるように形成されたインピーダンス調整部１１３と、インピーダンス調整部１１３を介して給電点１２０ａと接続され、給電点１２０ａから離れる方向に延びるように形成されたメアンダ部１１１と、メアンダ部１１１のインピーダンス調整部１１３とは反対側の端部に接続され、メアンダ部１１１から離れる方向に放射状に広がるボウタイ部１１２とから構成されている。また、インピーダンス調整部１１３は、導体１１０ｂの給電点１２０ｂを有する辺に対する角度が互いに異なるように並列に接続された３つの導電パターンとなる調整パターン１１３ａ〜１１３ｃから構成されている。この３つの調整パターン１１３ａ〜１１３ｃの導体１１０ｂの給電点１２０ｂを有する辺に対する角度はそれぞれ、３０度、６０度、８０度となっている。ここで、導体１１０ｂの給電点１２０ｂを有する辺は、導体１１０ｂのうち調整パターン１１３ａ〜１１３ｃと隣接する辺であるため、調整パターン１１３ａ〜１１３ｃは、導体１１０ｂの隣接辺に対する角度が互いに異なるように形成されていることになる。
【００３０】
また、２つの導体１１０ａ，１１０ｂのうち、空隙を介して樹脂シート１０２の中心部とは反対側となる導体１１０ｂは、接地された導電領域となっている。
【００３１】
これにより、２つの導体１１０ａ，１１０ｂからなるアンテナ部１１０が、一方の導体１１０ｂが接地され、メアンダアンテナを含むモノポールボウタイアンテナとなっている。
【００３２】
図２は、図１に示したアンテナ部材１０５を用いた非接触型情報記録媒体である非接触型ＩＣカードの実施の一形態を示す図であり、（ａ）は内部構造を示す図、（ｂ）は断面図である。
【００３３】
本形態は図２に示すように、樹脂シート１０２上に形成された導体１１０ａ，１１０ｂの給電点１２０ａ，１２０ｂにＩＣチップ１０１が接続されるように樹脂シート１０２上にＩＣチップ１０１が搭載されてインレット１０３が形成され、このインレット１０３が、複数の層からなるカード基材１０４の複数の層間に埋め込まれて構成されている。また、インピーダンス調整部１１３を構成する調整パターン１１３ａ〜１１３ｃのうち、２つの調整パターン１１３ｂ，１１３ｃが切断され、１つの調整パターン１１３ａのみによって給電点１２０ａとメアンダ部１１１とが接続されている。その作用については後述する。
【００３４】
上記のように構成された非接触型ＩＣカード１００においては、外部に設けられた情報書込／読出装置（不図示）に近接させることにより、情報書込／読出装置からの電波により導体１１０ａ，１１０ｂに電流が流れ、この電流がＩＣチップ１０１に供給され、それにより、非接触状態において、情報書込／読出装置からＩＣチップ１０１に情報が書き込まれたり、ＩＣチップ１０１に書き込まれた情報が情報書込／読出装置にて読み出されたりする。
【００３５】
上述したように本形態においては、２つの導体１１０ａ，１１０ｂからなるアンテナ部１１０が、一方の導体１１０ｂが接地されたモノポールアンテナとなっており、さらに、２つの導体１１０ａ，１１０ｂの給電点１２０ａ，１２０ｂが樹脂シート１０２の中心部からずれた領域に設けられているとともに、空隙を介して樹脂シート１０２の中心部側となる導体１１０ａの一部がジグザグ構造のメアンダ部１１１となっているため、省スペースでアンテナの長さを長くすることができ、それにより、アンテナ部１１０のインピーダンスを決める要素となる部分の長さを長くとることができる。詳しく言えば、給電点１２０ａとボウタイ部１１２との間にメアンダ部１１１の代わりに直線的な導電パターンをアンテナとして形成した場合と比較して、メアンダ部１１１の幅方向の長さにジグザグ構造の数を乗算した長さだけアンテナの長さを長くとることができるようになる。これにより、ＩＣチップ１０１が９００ＭＨｚ〜１０００ＭＨｚの周波数帯を利用して通信を行うものであっても、ＩＣチップ１０１とアンテナ部１１０とのインピーダンス整合をとることができる。
【００３６】
さらに、本形態においては、空隙を介して樹脂シート１０２の中心部側となる導体１１０ａについてメアンダ部１１１にボウタイ部１１２が接続されているため、広帯域なアンテナが実現可能となる。具体的には、ボウタイ部１１２について、Ｂ−Ｃ間とＢ−Ｄ間とで長さが互いに異なり、かつ、その長さがＢ−Ｃ間からＢ−Ｄ間に渡って無段階に変化しているため、アンテナ部１１０のインピーダンスが、メアンダ部１１１の長さにＢ−Ｃ間の長さを加えたものに基づくインピーダンスから、メアンダ部１１１の長さにＢ−Ｄ間の長さを加えたものに基づくインピーダンスまで設定可能となり、それにより、広帯域なアンテナが実現可能となる。
【００３７】
以下に、インピーダンス調整部１１３による作用について説明する。
【００３８】
図３は、図１に示したインピーダンス調整部１１３における調整パターン１１３ａ〜１１３ｃの導通状態に基づくアンテナ部１１０のインピーダンスの変化を示す図であり、（ａ）は実部のインピーダンス値を示す図、（ｂ）は虚部のインピーダンス値を示す図である。なお、図中、調整パターン１１３ｂ，１１３ｃが切断されて調整パターン１１３ａのみが導通状態となっている場合のインピーダンス特性を曲線ｘで示し、調整パターン１１３ａ，１１３ｃが切断されて調整パターン１１３ｂのみが導通状態となっている場合のインピーダンス特性を曲線ｙで示し、調整パターン１１３ａ，１１３ｂが切断されて調整パターン１１３ｃのみが導通状態となっている場合のインピーダンス特性を曲線ｚで示す。
【００３９】
図１に示したアンテナ部材１０５におけるアンテナ部１１０のインピーダンスの実部は図３（ａ）に示すように、調整パターン１１３ｂ，１１３ｃが切断されて調整パターン１１３ａのみが導通状態となっている場合のインピーダンス特性が最も高い周波数側となっており、また、調整パターン１１３ａ，１１３ｂが切断されて調整パターン１１３ｃのみが導通状態となっている場合のインピーダンス特性が最も低周波数側となっている。
【００４０】
また、図１に示したアンテナ部材１０５におけるアンテナ部１１０のインピーダンスの虚部も図３（ｂ）に示すように、調整パターン１１３ｂ，１１３ｃが切断されて調整パターン１１３ａのみが導通状態となっている場合のインピーダンス特性が最も高い周波数側となっており、また、調整パターン１１３ａ，１１３ｂが切断されて調整パターン１１３ｃのみが導通状態となっている場合のインピーダンス特性が最も低周波数側となっている。
【００４１】
これは、アンテナ部１１０に電流が流れた場合、調整パターン１１３ａ〜１１３ｃに流れる電流と導体１１０ｂに流れる電流とが相互に影響を及ぼし合ってそれぞれに流れる電流が変化することになるが、調整パターン１１３ａ〜１１３ｃと導体１１０ｂの給電点１２０ｂを有する辺との角度が互いに異なるため、相互に及ぼし合う影響によって変化する電流の大きさが互いに異なることによるものであり、そのために、アンテナ部１１０においては、調整パターン１１３ａ〜１１３ｃの導通状態によってそのインピーダンス特性が図３に示したように互いに異なるようになる。
【００４２】
そこで、図３（ａ）に示したようなインピーダンスの実部の周波数による特性と、図３（ｂ）に示したようなインピーダンスの虚部の周波数による特性とを考慮して、アンテナ部１１０のインピーダンスが所望の値となるように、すなわち、アンテナ部１１０のインピーダンスがＩＣチップ１０１のインピーダンスと整合するように、調整パターン１１３ａ〜１１３ｃのうち、２つの調整パターンを切断して残りの１つの調整パターンだけを導通状態とすることによって、インピーダンス調整部１１３と導体１１０ｂの給電点１２０ｂを有する辺との角度を変えて、ＩＣチップ１０１の通信可能距離を確保することができる。なお、図２に示した非接触型ＩＣカード１００においては、調整パターン１１３ｂ，１１３ｃが切断され、調整パターン１１３ａのみが導通状態となっているため、アンテナ部１１０のインピーダンス特性は、図中曲線ｘで示されたものとなる。
【００４３】
上述したような非接触型ＩＣカード１００を製造する場合は、まず、ＰＥＴ等からなる樹脂シート１０２上に、エッチングやスクリーン印刷等の手法によって、２つの導体１１０ａ，１１０ｂからなるアンテナ部１１０を形成し、図１に示したようなアンテナ部材１０５を作製する。
【００４４】
次に、インピーダンス調整部１１３を構成する３つの調整パターン１１３ａ〜１１３ｃのうち、アンテナ部１１０のインピーダンスが、後に樹脂シート１０２上に搭載されるＩＣチップ１０１のインピーダンスと整合するように、２つの調整パターンを切断して残りの１つの調整パターンだけを導通状態とする。
【００４５】
次に、導体１１０ａ，１１０ｂの給電点１２０ａ，１２０ｂにそれぞれ接続されるようにＩＣチップ１０１を樹脂シート１０２上に搭載し、導電性接着剤（不図示）によってＩＣチップ１０１を樹脂シート１０２に接着する。これにより、ＩＣチップ１０１が給電点１２０ａ，１２０ｂと電気的に接続され、ＩＣチップ１０１とアンテナ部１１０とからなる回路が形成されたインレット１０３が作製される。
【００４６】
その後、樹脂シート１０２上にＩＣチップ１０１が搭載、接着されてなるインレット１０３を、樹脂シートや粘着剤等の複数の層からなるカード基材１０４の複数の層間に埋め込み、図２に示したような非接触型ＩＣカード１００を作製する。
【００４７】
上述したように本形態においては、給電点１２０ａ，１２０ｂにて互いに対向する２つの導体１１０ａ，１１０ｂのうち、一方の導体１１０ａに、他方の導体１１０ｂの隣接辺に対する角度が互いに異なるように給電点１２０ａとメアンダ部１１１との間にて並列に接続された３つの調整パターン１１３ａ〜１１３ｃからなるインピーダンス調整部１１３が設けられているため、この調整パターン１１３ａ〜１１３ｃのうち２つの調整パターンを選択的に切断して残りの１つの調整パターンを導通状態とすることにより、インピーダンスを調整することが可能となる。
【００４８】
（他の実施の形態）
図４は、本発明のアンテナ部材の他の実施の形態を示す図である。
【００４９】
本形態は図４に示すように、ベース基材となる樹脂シート２０２上に、銅等の導電性材料によって２つの導体２１０ａ，２１０ｂからなるアンテナ部２１０が形成されて構成されており、この２つの導体２１０ａ，２１０ｂは、樹脂シート２０２の中心部からずれた領域、具体的には、樹脂シート２０２の図中下辺と左辺とからそれぞれ２０ｍｍ程度の領域にて空隙を介して互いに対向する給電点２２０ａ，２２０ｂをそれぞれ有している。
【００５０】
また、２つの導体２１０ａ，２１０ｂのうち、空隙を介して樹脂シート２０２の中心部側となる導体２１０ａは、給電点２２０ａから離れる方向、すなわち樹脂シート２０２の中心部側に放射状に広がるように形成されたインピーダンス調整部２１３と、インピーダンス調整部２１３を介して給電点２２０ａと接続され、給電点２２０ａから離れる方向に放射状に広がるボウタイ部２１２とから構成されている。また、インピーダンス調整部２１３は、導体２１０ｂの給電点２２０ｂを有する辺に対する角度が互いに異なるように並列に接続された３つの導電パターンとなる調整パターン２１３ａ〜２１３ｃから構成されている。この３つの調整パターン２１３ａ〜２１３ｃの導体２１０ｂの給電点２２０ｂを有する辺に対する角度はそれぞれ、３０度、６０度、８０度となっている。ここで、導体２１０ｂの給電点２２０ｂを有する辺は、導体２１０ｂのうち調整パターン２１３ａ〜２１３ｃと隣接する辺であるため、調整パターン２１３ａ〜２１３ｃは、導体２１０ｂの隣接辺に対する角度が互いに異なるように形成されていることになる。
【００５１】
また、２つの導体２１０ａ，２１０ｂのうち、空隙を介して樹脂シート２０２の中心部とは反対側となる導体２１０ｂは、接地された導電領域となっている。
【００５２】
これにより、２つの導体２１０ａ，２１０ｂからなるアンテナ部２１０が、一方の導体２１０ｂが接地されたモノポールボウタイアンテナとなっている。
【００５３】
上記のように構成されたアンテナ部材２０５においても、給電点２２０ａ，２２０ｂにて互いに対向する２つの導体２１０ａ，２１０ｂのうち、一方の導体２１０ａに、他方の導体２１０ｂの隣接辺に対する角度が互いに異なるように給電点２２０ａとボウタイ部２１２との間にて並列に接続された３つの調整パターン２１３ａ〜２１３ｃからなるインピーダンス調整部２１３が設けられているため、この調整パターン２１３ａ〜２１３ｃのうち２つの調整パターンを選択的に切断して残りの１つの調整パターンを導通状態とすることにより、インピーダンスを調整することが可能となる。
【００５４】
図５は、本発明のアンテナ部材の他の実施の形態を示す図である。
【００５５】
本形態は図５に示すように、ベース基材となる樹脂シート３０２上に、銅等の導電性材料によって２つの導体３１０ａ，３１０ｂからなるアンテナ部３１０が形成されて構成されており、この２つの導体３１０ａ，３１０ｂは、樹脂シート３０２の中心部となる領域にて空隙を介して互いに対向する給電点３２０ａ，３２０ｂをそれぞれ有している。
【００５６】
また、２つの導体３１０ａ，３１０ｂはそれぞれ、給電点３２０ａ，３２０ｂから離れる方向、すなわち樹脂シート３０２の中心部から離れる方向に放射状に広がるように形成されたインピーダンス調整部３１３，３１５と、インピーダンス調整部３１３，３１５を介して給電点３２０ａ，３２０ｂと接続され、給電点３２０ａ，３２０ｂから離れる方向に放射状に広がるボウタイ部３１２，３１４とから構成されている。また、インピーダンス調整部３１３は、導体３１０ｂに対する角度が互いに異なるように並列に接続された３つの導電パターンとなる調整パターン３１３ａ〜３１３ｃから構成されており、また、インピーダンス調整部３１５は、導体３１０ａに対する角度が互いに異なるように並列に接続された３つの導電パターンとなる調整パターン３１５ａ〜３１５ｃから構成されている。ここで、調整パターン３１３ａ〜３１３ｃは、導体３１０ｂを構成する辺に対する角度が互いに異なっており、そのため、隣接する調整パターン３１５ａに対する角度が互いに異なるように形成されている。また、調整パターン３１５ａ〜３１５ｃは、導体３１０ａを構成する辺に対する角度が互いに異なっており、そのため、隣接する調整パターン３１３ａに対する角度が互いに異なるように形成されている。
【００５７】
これにより、２つの導体３１０ａ，３１０ｂからなるアンテナ部３１０が、２つのボウタイ部３１２，３１４を有してなるダイポールボウタイアンテナとなっている。
【００５８】
上記のように構成されたアンテナ部材３０５においては、インピーダンス調整部３１３，３１５を構成する３つの調整パターン３１３ａ〜３１３ｃ，３１５ａ〜３１５ｃのうち２つずつを切断して１つずつの調整パターンのみを導通状態とすることで、導通状態とされた調整パターンどうしによって形成される角度が変わり、それにより、２つの導体３１０ａ，３１０ｂにそれぞれ流れる電流によって相互に及ぼし合う影響によって変化する電流の大きさが変わり、アンテナ部３１０のインピーダンスが変わることになることになるため、アンテナ部３１０のインピーダンスが、樹脂シート３０２上に搭載されるＩＣチップのインピーダンスと整合するように、インピーダンス調整部３１３，３１５のそれぞれについて、３つの調整パターン３１３ａ〜３１３ｃ，３１５ａ〜３１５ｃのうち２つずつを切断して１つずつの調整パターンのみを導通状態とすることで、ＩＣチップ１０１の通信可能距離を確保することができる。
【００５９】
なお、上述した実施の形態においては、インピーダンス調整部が３つの調整パターンから構成されているが、給電点とボウタイ部あるいはメアンダ部との間にて、他方の導体の隣接辺に対する角度が互いに異なるように並列に接続されていればその数は３つに限らない。また、３つの調整パターンの他方の導体の隣接辺に対する角度についても上述したものに限らない。
【００６０】
また、本形態においては、導体１１０ｂ，２１０ｂがその全面に銅等の導電性材料を付与することによっていわゆるベタパターンとして形成されているが、銅等の導電性材料を格子状に付与することにより、導体１１０ｂ，２１０ｂを構成する銅等の導電性材料と樹脂シート１０２，２０２との収縮率の違いから生じる反りを防止することができる。また、ボウタイ部１１２，２１２，３１２，３１４についても同様に、その全面に銅等の導電性材料を付与することによっていわゆるベタパターンとして形成されているが、銅等の導電性材料を放射状の外周のみに付与することにより、ボウタイ部１１２，２１２，３１２，３１４を構成する銅等の導電性材料と樹脂シート１０２，２０２，３０２との収縮率の違いから生じる反りを防止することができる。
【００６１】
また、本形態においては、非接触型情報記録媒体として非接触型ＩＣカードを例に挙げて説明したが、それ以外に非接触型ＩＣタグや非接触型ＩＣラベル等にも本発明を適用することができる。その場合、非接触型ＩＣタグや非接触型ＩＣラベルにおいては、定型サイズというものは決められてはいないが、本発明を適用しないものと比べて、非接触型ＩＣタグや非接触型ＩＣラベルを小型化しながらも、広帯域を実現することができるようになる。
【図面の簡単な説明】
【００６２】
【図１】本発明のアンテナ部材の実施の一形態を示す図である。
【図２】図１に示したアンテナ部材を用いた非接触型情報記録媒体である非接触型ＩＣカードの実施の一形態を示す図であり、（ａ）は内部構造を示す図、（ｂ）は断面図である。
【図３】図１に示したインピーダンス調整部における調整パターンの導通状態に基づくアンテナ部のインピーダンスの変化を示す図であり、（ａ）は実部のインピーダンス値を示す図、（ｂ）は虚部のインピーダンス値を示す図である。
【図４】本発明のアンテナ部材の他の実施の形態を示す図である。
【図５】本発明のアンテナ部材の他の実施の形態を示す図である。
【図６】９００ＭＨｚ〜１０００ＭＨｚの周波数帯を利用して通信を行うＩＣチップが搭載された非接触型ＩＣタグの一例を示す図であり、（ａ）は上面図、（ｂ）は（ａ）に示したＡ−Ａ’断面図である。
【図７】一般的なボウタイアンテナを有する非接触型ＩＣタグの一例を示す図であり、（ａ）は上面図、（ｂ）は（ａ）に示したＡ−Ａ’断面図である。
【符号の説明】
【００６３】
１００    非接触型ＩＣカード
１０１    ＩＣチップ
１０２，２０２，３０２    樹脂シート
１０３    インレット
１０４    カード基材
１０５，２０５，３０５    アンテナ部材
１１０，２１０，３１０    アンテナ部
１１０ａ，１１０ｂ，２１０ａ，２１０ｂ，３１０ａ，３１０ｂ    導体
１１１    メアンダ部
１１２，２１２，３１２，３１４    ボウタイ部
１１３，２１３，３１３，３１５    インピーダンス調整部
１１３ａ〜１１３ｃ，２１３ａ〜２１３ｃ，３１３ａ〜３１３ｃ，３１５ａ〜３１５ｃ    調整パターン
１２０ａ，１２０ｂ，２２０ａ，２２０ｂ，３２０ａ，３２０ｂ    給電点
【図１】
2006333194.tif 000003
【図２】
2006333194.tif 000004
【図３】
2006333194.tif 000005
【図４】
2006333194.tif 000006
【図５】
2006333194.tif 000007
【図６】
2006333194.tif 000008
【図７】
2006333194.tif 000009